(57)【特許請求の範囲】
【請求項１】
角氷を製氷する製氷機と、角氷を砕いて砕氷とする砕氷機と、角氷貯留部及び砕氷貯留部が区画して設けられた貯氷庫とが、鉛直方向下向きに順次配置され、
上記製氷機と上記砕氷機との間に、上記製氷機からの角氷を上記角氷貯留部又は上記砕氷機へ選択的に導く切換部材を備えた切換機が配置され、
上記角氷貯留部に角氷が、上記砕氷貯留部に上記砕氷機からの砕氷がそれぞれ貯氷される砕氷貯氷装置において、
上記角氷貯留部には、角氷の満氷状態を検出する角氷貯氷センサが、又、上記砕氷貯留部には、砕氷の満氷状態を検出する砕氷貯氷センサがそれぞれ設置されるとともに、
上記切換機を制御する制御装置は、上記角氷貯氷センサ及び上記砕氷貯氷センサからの検出結果に基づき、未満氷状態の上記角氷貯留部又は上記砕氷貯留部側へ角氷を導くように上記切換部材の位置を制御することを特徴とする砕氷貯氷装置。
【請求項２】
上記制御装置は、角氷貯氷センサ又は砕氷貯氷センサのいずれか一方が満氷状態を検出していないときに製氷機を稼働待機状態とし、上記角氷貯氷センサ又は上記砕氷貯氷センサの両方が満氷状態を検出したときに製氷機を停止するよう制御することを特徴とする請求項1に記載の砕氷貯氷装置。
【請求項３】
上記制御装置は、切換機の切換部材が角氷を砕氷機へ導くよう位置づけられたときに砕氷機を稼働させ、砕氷貯氷センサが満氷状態を検出したときに砕氷機を停止するよう制御することを特徴とする請求項1又は２に記載の砕氷貯氷装置。
【請求項４】
上記切換機は、切換部材が角氷を角氷貯留部へ導く位置に位置づけられたことを検出する角氷側位置検出器と、上記切換部材が角氷を砕氷機へ導く位置に位置づけられたことを検出する砕氷側位置検出器と、を備えたことを特徴とする請求項1乃至3のいずれかに記載の砕氷貯氷装置。
【請求項５】
上記制御装置は、切換機の切換部材が動作してから所定時間経過後に、角氷側位置検出器又は砕氷側位置検出器が切換部材の位置を検出していないときに、製氷機、砕氷機及び切換機を停止させることを特徴とする請求項４に記載の砕氷貯氷装置。
【発明の詳細な説明】
【０００１】
【発明の属する技術分野】
本発明は、製氷機にて生成される角氷を、そのまま貯氷、または砕氷機をへて砕氷として貯氷する砕氷貯氷装置に関する。
【０００２】
【従来の技術】
従来の砕氷貯氷装置は、角氷を製氷する製氷機と、角氷を砕いて砕氷とする砕氷機と、角氷貯留部及び砕氷貯留部が区画して設けられた貯氷庫とが、鉛直方向下向きに順次配置され、製氷機と砕氷機との間に、製氷機からの角氷を角氷貯留部又は砕氷機へ選択的に導く切換板を備えた切換機が配置され、角氷貯留部に角氷が、砕氷貯留部に砕氷機からの砕氷がそれぞれ貯氷されるよう構成されている。
【０００３】
ここで、切換板の切換操作は、手動により実施されている。
【０００４】
【発明が解決しようとする課題】
上述のように、従来の砕氷貯氷装置では、切換機の切換板が手動操作されるので、貯氷庫の角氷貯留部又は砕氷貯留部のいずれかが満氷状態であっても、切換板が手動操作されない限り、未満氷状態の角氷貯留部又は砕氷貯留部へ氷が導かれず、従って、効率的な貯氷ができない場合がある。
【０００５】
本発明の課題は、上述の事情を考慮してなされたものであり、貯氷庫の角氷貯留部に角氷を、砕氷貯留部に砕氷をそれぞれ効率良く貯氷できる砕氷貯氷装置を提供することにある。
【０００６】
【課題を解決するための手段】
請求項１記載の発明は、角氷を製氷する製氷機と、角氷を砕いて砕氷とする砕氷機と、角氷貯留部及び砕氷貯留部が区画して設けられた貯氷庫とが、鉛直方向下向きに順次配置され、上記製氷機と上記砕氷機との間に、上記製氷機からの角氷を上記角氷貯留部又は上記砕氷機へ選択的に導く切換部材を備えた切換機が配置され、上記角氷貯留部に角氷が、上記砕氷貯留部に上記砕氷機からの砕氷がそれぞれ貯氷される砕氷貯氷装置において、上記角氷貯留部には、角氷の満氷状態を検出する角氷貯氷センサが、又、上記砕氷貯留部には、砕氷の満氷状態を検出する砕氷貯氷センサがそれぞれ設置されるとともに、上記切換機を制御する制御装置は、上記角氷貯氷センサ及び上記砕氷貯氷センサからの検出結果に基づき、未満氷状態の上記角氷貯留部又は上記砕氷貯留部側へ角氷を導くように上記切換部材の位置を制御することを特徴とする砕氷貯氷装置。
【０００７】
請求項２記載の発明は、請求項１に記載の発明において、上記制御装置は、角氷貯氷センサ又は砕氷貯氷センサのいずれか一方が満氷状態を検出していないときに製氷機を稼働待機状態とし、上記角氷貯氷センサ又は上記砕氷貯氷センサの両方が満氷状態を検出したときに製氷機を停止するよう制御することを特徴とするものである。
【０００８】
請求項３記載の発明は、請求項１又は２に記載の発明において、上記制御装置は、切換機の切換部材が角氷を砕氷機へ導くよう位置づけられたときに砕氷機を稼働させ、砕氷貯氷センサが満氷状態を検出したときに砕氷機を停止するよう制御することを特徴とするものである。
【０００９】
請求項４記載の発明は、請求項１乃至３のいずれかに記載の発明において、上記切換機は、切換部材が角氷を角氷貯留部へ導く位置に位置づけられたことを検出する角氷側位置検出器と、上記切換部材が角氷を砕氷機へ導く位置に位置づけられたことを検出する砕氷側位置検出器と、を備えたことを特徴とするものである。
【００１０】
請求項５記載の発明は、請求項４に記載の発明において、上記制御装置は、切換機の切換部材が動作してから所定時間経過後に、角氷側位置検出器又は砕氷側位置検出器が切換部材の位置を検出していないときに、製氷機、砕氷機及び切換機を停止させることを特徴とするものである。
【００１１】
請求項１乃至３に記載の発明には、次の作用がある。
【００１２】
貯氷庫の角氷貯留部に、角氷の満氷状態を検出する角氷貯氷センサが、又、上記砕氷貯留部に、砕氷の満氷状態を検出する砕氷貯氷センサがそれぞれ設置されるとともに、切換機を制御する制御装置が、角氷貯氷センサ及び砕氷貯氷センサからの検出結果に基づき、未満氷状態の角氷貯留部又は砕氷貯留部側へ角氷を導くように切換部材の位置を制御することから、貯氷庫のうち角氷貯留部又は砕氷貯留部のいずれか一方が満氷状態となった時点で、切換機の切換部材の位置が制御されて、未満氷状態の角氷貯留部又は砕氷貯留部側へ製氷機からの角氷が導かれるので、角氷貯留部と砕氷貯留部とをバランス良く満氷状態にできる。この結果、貯氷庫の角氷貯留部に角氷を、砕氷貯留部に砕氷をそれぞれ効率良く貯氷できる。
【００１３】
請求項４に記載の発明には、次の作用がある。
【００１４】
切換機には、切換部材が角氷を角氷貯留部へ導く位置に位置づけられたことを検出する角氷側位置検出器と、切換部材が角氷を砕氷機へ導く位置に位置づけられたことを検出する砕氷側位置検出器とが設けられたことから、切換部材の適正位置を正確に検出することができる。
【００１５】
請求項５に記載の発明には、次の作用がある。
【００１６】
切換機の切換部材が動作してから所定時間経過後に、角氷側位置検出器又は砕氷側位置検出器が切換部材の位置を検出していないときには、何らかの故障が発生したと判断できるので、このとき、製氷機、砕氷機及び切換機を停止させることにより、装置の安全性を高めることができる。
【００１７】
【発明の実施の形態】
以下、本発明の実施の形態を図面に基づいて説明する。
【００１８】
図１は、本発明に係る砕氷貯氷装置の一実施の形態を示す縦断面図である。
【００１９】
この図１に示す砕氷貯氷装置１０は、製氷機１１、砕氷機１２及び貯氷庫１３が鉛直方向下向きに順次配置され、製氷機１１と砕氷機１２間に切換機１４が配置され、更に制御装置１５（図３）を有して構成される。
【００２０】
製氷機１１は、角氷１６を製氷する、いわゆる逆セル型の製氷機である。つまり、この製氷機１１は、蒸発器１７の下側に傾復動可能な水皿１８及び水タンク１９を設け、この水タンク１９の下方にドレンタンク２０が配置されたものである。
【００２１】
蒸発器１７は、図示しない冷却ユニットに連結されると共に、下方に開口する多数の製氷室２１を有する。また、水皿１８及び水タンク１９は一体化され、水タンク１９内に貯溜された水が循環ポンプ２２により、水皿１８の表面に形成された噴射口（不図示）から蒸発器１７の製氷室２１へ噴射され、この製氷室２１にて角氷１６が生成される。
【００２２】
上記水皿１８は、アーム２４及びコイルスプリング２５を介して支持され、このアーム２４が減速モータ２３により回転駆動される。減速モータ２３の正転によりアーム２４が半時計方向に回転することによって、図1に図示のごとく水皿１８及び水タンク１９が傾動し、蒸発器１７の製氷室２１にて生成された角氷１６が落下して切換機１４へ投入される。角氷１６の落下後、減速モータ２３が逆転し、アーム２４が時計方向に回転して、水皿１８及び水タンク１９が水平位置に復動する。
【００２３】
前記砕氷機１２は、角氷１６を砕いて砕氷２６とするものである。この砕氷機１２は、図２にも示すように、ハウジング２７内に砕氷シリンダ２８が回転自在に配設され、この砕氷シリンダ２８がプーリ２９及びタイミングベルト３０を介して駆動モータ３１により回転駆動される。砕氷シリンダ２８の外周には砕氷刃３２が多数植設されており、砕氷シリンダ２８の回転により砕氷刃３２が角氷１６を破砕して砕氷２６を生成する。
【００２４】
前記切換機１４は、製氷機１１からの角氷１６を貯氷庫１３の後述の角氷貯留部４０または砕氷機１２へ選択的に導くものであり、減速モータ３３、切換板３４、角氷側位置検出器３５及び砕氷側位置検出器３６を有して構成される。
【００２５】
切換部材としての切換板３４は、図２に示すように、ケーシング３７の内部で、このケーシング３７の上部に固着されたシュータ３８の下方に配置される。この切換板３４は、減速モータ３３により正転または逆転駆動されて、シュータ３８に投入された角氷１６を、貯氷庫１３の角氷貯留部４０へ導く角氷側位置Ａと、砕氷機１２へ導く砕氷側位置Ｂとに位置付けられる。
【００２６】
角氷側位置検出器３５及び砕氷側位置検出器３６はケーシング３７に設置される。このうち、角氷側位置検出器３５は、角氷側位置Ａに位置付けられた切換板３４に当接して、切換板３４が角氷側位置Ａに位置付けられたことを検出する。また、砕氷側位置検出器３６は、砕氷側位置Ｂに位置付けられた切換板３４に当接して、切換板３４が砕氷側位置Ｂに位置付けられたことを検出する。これらの角氷側位置検出器３５及び砕氷側位置検出器３６の検出結果は、図３に示すように制御装置１５へ送信される。
【００２７】
前記貯氷庫１３は、図１に示すように、仕切板３９により角氷貯留部４０と砕氷貯留部４１とに区画して設けられたものである。角氷貯留部４０内に、製氷機１１にて製氷された角氷１６が貯氷される。砕氷貯留部４１内には、製氷機１１からの角氷１６が砕氷機１２にて破砕された砕氷２６が貯氷される。
【００２８】
角氷貯留部４０、砕氷貯留部４１の上部には、角氷貯氷センサ４２、砕氷貯氷センサ４３がそれぞれ設置される。これらの角氷貯氷センサ４２及び砕氷貯氷センサ４３は、例えば投光部から放射された赤外線が、角氷１６又は砕氷２６により一定時間以上遮断されて受光部に到達しないときに、満氷状態を検出するセンサーである。角氷貯氷センサ４２により、角氷貯留部４０内に角氷１６が満氷となったことが検出され、砕氷貯氷センサ４３により、砕氷貯留部４１内に砕氷２６が満氷となったことが検出される。角氷貯氷センサ４２及び砕氷貯氷センサ４３の検出結果は、図３に示すように制御装置１５に送信される。
【００２９】
制御装置１５は、製氷機１１、砕氷機１２及び切換機１４のそれぞれの運転を個別に制御する。
【００３０】
即ち、制御装置１５は、角氷貯氷センサ４２及び砕氷貯氷センサ４３からの検出結果に基づき、未満氷状態の角氷貯留部４０又は砕氷貯留部４１側へ製氷機１１からの角氷１６を導くように、切換機１４の切換板３４の位置を制御する。つまり、角氷貯氷センサ４２が角氷１６の満氷状態を検出していない時には、制御装置１５は、切換機１４の減速モータ３３を駆動制御して切換板３４を角氷側位置Ａに位置付け、製氷機１１からの角氷１６を貯氷庫１３における角氷貯留部４０へ投入させる。また、砕氷貯氷センサ４３が砕氷２６の満氷状態を検出していない時には、制御装置１５は、切換機１４の減速モータ３３を駆動制御して切換板３４を砕氷側位置Ｂに位置付け、製氷機１１からの角氷１６を砕氷機１２へ投入し、この砕氷機１２にて破砕された砕氷２６を貯氷庫１３における砕氷貯留部４１へ投入させる。更に、制御装置１５は、切換板３４が角氷側位置検出器３５又は砕氷側位置検出器３６にて検出された時点で減速モータ３３を停止させる。
【００３１】
制御装置１５は、角氷貯氷センサ４２又は砕氷貯氷センサ４３のいずれか一方が満氷状態を検出していない時に製氷機１１を稼働待機状態とし、角氷側位置検出器３５又は砕氷側位置検出器３６により切換機１４の切換板３４がそれぞれ角氷側位置Ａ又は砕氷側位置Ｂにあることが検出された時点で製氷機１１を稼働させる。また、制御装置１５は、角氷貯氷センサ４２又は砕氷貯氷センサ４３の両者が満氷状態を検出した時に製氷機１１を停止させる。従って、製氷機１１は、貯氷庫１３の角氷貯留部４０に角氷１６が、砕氷貯留部４１に砕氷２６がそれぞれ満氷状態となった時に運転が停止されるが、角氷貯留部４０から角氷１６が、又は砕氷貯留部４１から砕氷２６が取り出されて、角氷貯留部４０又は砕氷貯留部４１のいずれか一方が未満氷状態となり、かつ、切換機１４の切換板３４が角氷側位置Ａ又は砕氷側位置Ｂに位置付けられた時点で稼働される。
【００３２】
また、制御装置１５は、切換機１４の切換板３４が砕氷側位置Ｂに位置付けられたことを砕氷側位置検出器３６が検出し、かつ、砕氷貯氷センサ４３が砕氷２６の満氷状態を検出していない時に砕氷機１２を稼働させ、砕氷貯氷センサ４３が砕氷貯留部４１における満氷状態を検出した時に砕氷機１２を停止させる。これにより、砕氷機１２は、未満氷状態の砕氷貯留部４１内へ砕氷２６を貯氷させるときのみ稼働される。
【００３３】
更に、制御装置１５は、角氷貯氷センサ４２又は砕氷貯氷センサ４３からの検出結果に基づき切換機１４における切換板３４の回動動作を開始させてから、所定時間経過後にも、角氷側位置検出器３５又は砕氷側位置検出器３６が切換板３４を検出していない時には、製氷機１１、砕氷機１２及び切換機１４を停止させる。上記所定時間は、減速モータ３３の駆動により切換板３４が角氷側位置Ａから砕氷側位置Ｂへ、又は砕氷側位置Ｂから角氷側位置Ａへ回動するのに十分な時間である。
【００３４】
次に、上記制御装置１５の制御を図４を用いて詳説する。
【００３５】
（１）制御装置１５は、まず、砕氷側製氷フラッグがセットされているか否かを判定し（Ｓ１）、当該フラッグがセットされていないと判定した場合に、貯氷庫１３の角氷貯留部４０が角氷１６で満氷状態にあるか否かを、角氷貯氷センサ４２の検出結果により判定する（Ｓ２）。
【００３６】
（２）角氷貯留部４０が満氷で無いときには、制御装置１５は、切換機１４の切換板３４が角氷側位置Ａにあるか否かを角氷側位置検出器３５により判定する（Ｓ３）。制御装置１５は、切換板３４が角氷側位置Ａに無い場合に内蔵のタイマ（不図示）をカウントし（Ｓ４）、ほぼ同時に、タイマのカウント開始後所定時間（ｔ秒）経過しているか否かを判定し（Ｓ５）、経過していないときには、直ちに切換機１４の減速モータ３３を正転させて、切換板３４を角氷側位置Ａ側へ回動させる（Ｓ６）。
【００３７】
（３）制御装置１５は、上述のステップＳ１〜Ｓ６を順次実行し、ステップＳ３において、切換機１４の切換板３４が角氷側位置Ａに位置付けられたと判定した時点で内蔵のタイマをクリアし（Ｓ７）、ほぼ同時に切換機１４の減速モータ３３の正転駆動を停止させて（Ｓ８）、製氷機１１を稼働させ、角氷１６の製氷工程を実行する（Ｓ９）。これにより、製氷機１１にて製氷された角氷１６が、切換機１４の切換板３４を経て貯氷庫１３の角氷貯留部４０へ投入され貯氷される。
【００３８】
（４）制御装置１５は、ステップＳ４にてタイマをカウントしてから所定時間（ｔ秒）経過した時点、つまり切換板３４を角氷側位置Ａ側へ回動させるべく減速モータ３３を正転させてからｔ秒経過した時点で、切換板３４が角氷側位置Ａに位置付けられていないことからエラーを表示し（Ｓ１０）、ほぼ同時に製氷機１１、砕氷機１２及び切換機１４を停止させ（Ｓ１１）、内蔵タイマをクリアする。
【００３９】
（５）制御装置１５は、ステップＳ２において貯氷庫１３の角氷貯留部４０が満氷となったことが角氷貯氷センサ４２により検出された時点で、貯氷庫１３の砕氷貯留部４１が満氷であるか否かを砕氷貯氷センサ４３の検出結果により判定する（Ｓ１２）。
【００４０】
（６）砕氷貯留部４１が満氷でない時には、制御装置１５は、砕氷側製氷フラッグをセットし（Ｓ１３）、引き続き、切換機１４の切換板３４が砕氷側位置Ｂにあるか否かを砕氷側位置検出器３６により判定する（Ｓ１４）。制御装置１５は、切換板３４が角氷側位置Ａに無い場合に、内蔵のタイマをカウントし（Ｓ１５）、ほぼ同時に、タイマのカウント開始後所定時間（ｔ秒）経過しているか否かを判定し（Ｓ１６）、経過していない時に直ちに切換機１４の減速モータ３３を逆転させて、切換板３４を砕氷側位置Ｂ側へ回動させる（Ｓ１７）。
【００４１】
（７）制御装置１５は、上述のステップＳ１及びＳ１２〜Ｓ１７を順次実行する。この時、制御装置１５は、ステップＳ１で砕氷側製氷フラッグがセットされていると判定するので、ステップＳ２を実行せず直ちにステップＳ１２を実行する。制御装置１５は、ステップＳ１４において、切換機１４の切換板３４が砕氷側位置Ｂに位置付けられたと判定した時点で内蔵のタイマをクリアし（Ｓ１８）、ほぼ同時に、切換機１４の減速モータ３３の逆転駆動を停止させて（Ｓ１９）、砕氷機１２を駆動させ、砕氷製氷工程を実行する（Ｓ２０）。これにより、製氷機１１にて製氷された角氷１６が、切換機１４の切換板３４を経て砕氷機１２へ投入され、この砕氷機１２にて破砕されて砕氷２６となって、貯氷庫１３の切換機１４へ投入され貯氷される。
【００４２】
（８）制御装置１５は、ステップＳ１５にてタイマをカウントしてから所定時間（ｔ秒）経過した時点、つまり切換板３４を砕氷側位置Ｂ側へ回動させるべく減速モータ３３を逆転させてからｔ秒経過した時点で、切換板３４が砕氷側位置Ｂに位置付けられていないことからエラーを表示し（Ｓ２１）、ほぼ同時に、製氷機１１、砕氷機１２及び切換機１４を停止させ（Ｓ２２）、内蔵のタイマをクリアする。
【００４３】
（９）制御装置１５は、ステップＳ１２において、貯氷庫１３の砕氷貯留部４１が満氷となったことが砕氷貯氷センサ４３により検出された時点で、砕氷側製氷フラッグをクリアし（Ｓ２３）、製氷機１１及び砕氷機１２を停止して貯氷工程とする（Ｓ２４）。
【００４４】
従って、上記実施の形態によれば、次の効果▲１▼乃至▲３▼を奏する。
【００４５】
▲１▼貯氷庫１３の角氷貯留部４０に、角氷１６の満氷状態を検出する角氷貯氷センサ４２が、また、貯氷庫１３の砕氷貯留部４１に、砕氷２６の満氷状態を検出する砕氷貯氷センサ４３がそれぞれ設置されると共に、切換機１４を制御する制御装置１５が、角氷貯氷センサ４２及び砕氷貯氷センサ４３からの検出結果に基づけ、未満氷状態の角氷貯留部４０又は砕氷貯留部４１側へ角氷１６を導くよう切換板３４の位置を制御することから、貯氷庫１３のうち角氷貯留部４０又は砕氷貯留部４１のいずれか一方が満氷状態となった時点で、切換機１４の切換板３４の位置が制御されて、未満氷状態の角氷貯留部４０又は砕氷貯留部４１側へ製氷機１１からの角氷１６が導かれる。この結果、角氷貯留部４０と砕氷貯留部４１とをバランスよく満氷状態にでき、貯氷庫１３の角氷貯留部４０に角氷１６を、砕氷貯留部４１に砕氷２６をそれぞれ効率よく貯氷できる。
【００４６】
▲２▼切換機１４には、切換板３４が角氷１６を貯氷庫１３における角氷貯留部４０へ導く位置に位置付けられたことを検出する角氷側位置検出器３５と、切換板３４が角氷１６を砕氷機１２へ導く位置に位置付けられたことを検出する砕氷側位置検出器３６とが設けられたことから、切換板３４の適正位置（角氷側位置Ａ又は砕氷側位置Ｂ）を正確に検出することができる。
【００４７】
▲３▼切換機１４の切換板３４が動作してから所定時間経過後に、角氷側位置検出器３５又は砕氷側位置検出器３６が切換板３４の位置を検出していない時には、何らかの故障が発生したと判断できるので、この時、制御装置１５が製氷機１１、砕氷機１２及び切換機１４を停止させることにより、砕氷貯氷装置１０の安全性を高めることができる。
【００４８】
以上、一実施の形態に基づいて本発明を説明したが、本発明はこれに限定されるものではない。
【００４９】
例えば、貯氷庫１３において、角氷貯氷センサ４２が砕氷貯氷センサ４３よりも高い位置に設置されるものを述べたが、角氷貯氷センサ４２及び砕氷貯氷センサ４３は同一高さであってもよく、また、砕氷貯氷センサ４３が角氷貯氷センサ４２よりも高い位置にあってもよい。
【００５０】
また、図４から、この砕氷貯氷装置１０においては、貯氷庫１３の角氷貯留部４０に角氷１６が優先して貯氷させるものを述べたが、図４のステップＳ２及びこれに関連するステップＳ３〜Ｓ１１と、ステップＳ１２及びこれに関連するステップＳ１３〜Ｓ２４とを入れ替えて、砕氷貯留部４１に砕氷２６が優先して貯氷されるようにしてもよい。ただし、この場合には、ステップＳ１、Ｓ１３及びＳアーム２４において、砕氷側製氷フラッグを角氷側製氷フラッグとし、ステップＳ１３をステップＳ２とＳ３との間に挿入する。
【００５１】
【発明の効果】
以上のように、本発明に係る砕氷貯氷装置によれば、貯氷庫の角氷貯留部には、角氷の満氷状態を検出する角氷貯氷センサが、また貯氷庫の砕氷貯留部には、砕氷の満氷状態を検出する砕氷貯氷センサがそれぞれ設置されると共に、製氷機からの角氷を角氷貯留部又は砕氷機へ導く切換部材を備えた切換機を制御装置が制御し、この制御装置が、角氷貯留センサ及び砕氷貯留センサからの検出結果に基づき、未満氷状態の角氷貯留部又は砕氷貯留部側へ角氷を導くよう切換部材の位置を制御することから、貯氷庫の角氷貯留部と砕氷貯留部とをバランスよく満氷状態にでき、この結果、貯氷庫の角氷貯留部に角氷を、砕氷貯留部に砕氷をそれぞれ効率よく貯氷できる。
【図面の簡単な説明】
【図１】本発明に係る砕氷貯氷装置の一実施の形態を示す縦断面図である。
【図２】図１の切換機及び砕氷機を拡大して示す断面図である。
【図３】図１の砕氷貯氷装置のブロック図である。
【図４】図３の制御装置の動作を示すフローチャートである。
【符号の説明】
１０  砕氷貯氷装置
１１  製氷機
１２  砕氷機
１３  貯氷庫
１４  切換機
１５  制御装置
１６  角氷
２６  砕氷
３３  減速モータ
３４  切換板
３５  角氷側位置検出器
３６  砕氷側位置検出器
４０  角氷貯留部
４１  砕氷貯留部
４２  角氷貯氷センサ
４３  砕氷貯氷センサ
Ａ  角氷側位置
Ｂ  砕氷側位置
【図１】
0004190062.tif 000002
【図２】
0004190062.tif 000003
【図３】
0004190062.tif 000004
【図４】
0004190062.tif 000005